(57)【特許請求の範囲】
【請求項１】
正の屈折力を有する対物光学系と、前記対物光学系により形成された像を正立させる複数の反射部を有する像正立光学系と、正立された像を観察者の眼球へ導く接眼光学系とを有する実像式ファインダー光学系であって、
前記像正立光学系の最も物体側の反射部における光軸の折り曲げ角が鋭角であり、
前記対物光学系中の最も像正立光学系側にあるレンズは、光軸の折り曲げ方向側の端部が切除され、
前記最も像正立光学系側にあるレンズの面上にレンズの端面での反射光を遮光する遮光手段が配置され、
前記遮光手段を前記レンズの切除された端部側にのみ、又は、前記レンズの全周縁に設け、それにより前記遮光手段による光束の通過するレンズ中央部の開口形状を前記レンズの切除された端部側を実質上直線としたＤ字形状に構成し、
前記レンズの光軸位置から最も離れたレンズ有効面端部から光軸位置までの長さをＲ、前記レンズの光軸位置に最も近いレンズ有効面端部から光軸位置までの長さをＲ'、前記レンズの光軸位置に最も近いレンズ端部から光軸位置に向って前記遮光手段の設けられる長さをＤ、前記レンズの光軸上の厚さをｄとした時、
０．１＜Ｄ／Ｒ'＜０．４
及び
０．４＜ｄ／Ｒ＜１．０
なる条件を満足することを特徴とする実像式ファインダー光学系。
【請求項２】
前記光軸の折り曲げ角をαとした時
４０°＜α＜６５°
なる条件を満足することを特徴とする請求項１に記載の実像式ファインダー光学系。
【請求項３】
前記対物光学系中の最も像正立光学系側にあるレンズの切除された端部の端面を前記像正立光学系側ほど光軸に近づくように傾斜させたことを特徴とする請求項１又は２に記載の実像式ファインダー光学系。
【請求項４】
前記対物光学系が物体側から順に負の屈折力を有する第１群と、正の屈折力を有する第２群と、正または負の屈折力を有する第３群とを含み、前記第１群、第２群、第３群の各々の間隔を変化させることにより変倍を行うことを特徴とする請求項１乃至３の何れかに記載の実像式ファインダー光学系。
【請求項５】
前記対物光学系中の最も像正立光学系側のレンズが変倍のために移動することを特徴とする請求項４に記載の実像式ファインダー光学系。
【発明の詳細な説明】
【０００１】
【発明の属する技術分野】
本発明は、銀塩フィルム用のカメラ，デジタルカメラ，ビデオカメラ等に用いられる実像式ファインダー光学系に関するものである。
【０００２】
【従来技術】
従来より、撮像視野の確認のため実像式ファインダー光学系が用いられている。この実像式ファインダー光学系で発生するフレアを防止するために各種提案がなされている。例えば、特開平９−２１１５４７号公報では、光軸上から瞳がずれた時にファインダー内のレンズ周辺部の強い屈折力により発生するフレアを防止する遮光手段を有している。一方、特開平６−９５２１５号公報では、像正立光学系内で反射しなかった光束による迷光を除去するための遮光手段を有している。
【０００３】
【発明が解決しようとする課題】
しかしながら、何れの先行技術もレンズ端部の端面での反射光については考慮されておらず、それによるフレア，ゴーストが発生する。若しくはそれを防止するためにレンズそのものの径を大きくする必要があり、ファインダーが大型化してしまう。
【０００４】
本発明は、従来の技術の有するこのような問題点に鑑みてなされたものであり、その第１の目的は、レンズ自体を大きくすることなく、ゴースト，フレアを抑えた見えの良い実像式ファインダー光学系を提供することにある。
本発明の第２の目的は、薄型化に好適な構成を有する実像式ファインダー光学系を提供することにある。
本発明の第３の目的は、射出成形時のゲート部を有するレンズを用いた場合であっても見えの良い実像式ファインダー光学系またはレンズを提供することにある。
【０００５】
【課題を解決するための手段】
上記目的を達成するために、請求項１に記載の発明による実像式ファインダー光学系は、正の屈折力を有する対物光学系と、前記対物光学系により形成された像を正立させる複数の反射部を有する像正立光学系と、正立された像を観察者の眼球へ導く接眼光学系とを有する実像式ファインダー光学系であって、前記像正立光学系の最も物体側の反射部における光軸の折り曲げ角が鋭角であり、前記対物光学系中の最も像正立光学系側にあるレンズは、光軸の折り曲げ方向側の端部が切除され、前記最も像正立光学系側にあるレンズの面上にレンズの端面での反射光を遮光する遮光手段が配置され、前記遮光手段を前記レンズの切除された端部側にのみ、又は、前記レンズの全周縁に設け、それにより前記遮光手段による光束の通過するレンズ中央部の開口形状を前記レンズの切除された端部側を実質上直線としたＤ字形状に構成し、前記レンズの光軸位置から最も離れたレンズ有効面端部から光軸位置までの長さをＲ、前記レンズの光軸位置に最も近いレンズ有効面端部から光軸位置までの長さをＲ'、前記レンズの光軸位置に最も近いレンズ端部から光軸位置に向って前記遮光手段の設けられる長さをＤ、前記レンズの光軸上の厚さをｄとした時、０．１＜Ｄ／Ｒ'＜０．４及び０．４＜ｄ／Ｒ＜１．０なる条件を満足することを特徴としている。
【０００６】
また、請求項２に記載の発明による実像式ファインダー光学系は、前記光軸の折り曲げ角をαとした時４０°＜α＜６５°なる条件を満足することを特徴としている。
また、請求項３に記載の発明による実像式ファインダー光学系は、前記対物光学系中の最も像正立光学系側にあるレンズの切除された端部の端面を前記像正立光学系側ほど光軸に近づくように傾斜させたことを特徴としている。
また、請求項４に記載の発明による実像式ファインダー光学系は、前記対物光学系が物体側から順に負の屈折力を有する第１群と、正の屈折力を有する第２群と、正または負の屈折力を有する第３群とを含み、前記第１群、第２群、第３群の各々の間隔を変化させることにより変倍を行うことを特徴としている。
また、請求項５に記載の発明による実像式ファインダー光学系は、前記対物光学系中の最も像正立光学系側のレンズが変倍のために移動することを特徴としている。
【０００８】
【発明の実施の形態】
以下、本発明の実施の形態を図示した実施例に基づき説明する。図１は本発明に係る実像式ファインダー光学系の概略構成を示す光軸に沿う断面図である。図中、１は物体側から順に配列された負の第１レンズ群Ｌ１と正の第２レンズ群Ｌ２と正の第３レンズ群Ｌ３から成る対物光学系、２は非球面で形成された入射面２ａと光軸Ｏを鋭角に折り曲げる反射部としてのダハ反射面２ｂを有し負の屈折力を備えたダハプリズム、３は対物光学系１により形成される中間像位置に配置された視野枠、４はなだらかな曲面をなす入射面４ａと二つの反射面４ｂ，４ｃと光束の透過しない面に形成されたプリズム成形時のゲート部４ｄを有する合成樹脂製のプリズム、５は接眼光学系である。この場合、ダハプリズム２とプリズム４は像正立光学系を構成している。また、第１レンズ群Ｌ１は固定されたままで、第２レンズ群Ｌ２と第３レンズ群Ｌ３を光軸Ｏに沿って移動させることにより、ズーミングが行なわれるようになっている。プリズム４の入射面４ａはなだらかな曲面をなしているため、この面への光の入射により起こるゴーストは除去され、また、ダハ反射面２ｂでの反射角α＝４８゜、反射面４ｂでの反射角β＝１０５゜、反射面４ｃでの反射面γ＝１２３゜となるよう選定されていて、ファインダー光学系全体は薄型化するように構成されている。
【０００９】
図２は第１レンズ群Ｌ１に相当する負レンズの拡大斜視図である。図に示される通り、この負レンズＬ１は、正規光束の透過する部分を残して他の部分を除去した略長方形をなしていて、透過する正規光束は対物レンズ１の中心に向って収束するが、その形状に合わせて各側面６を対物レンズ１の中心側ほど光軸Ｏに近付くように傾斜させて形成されている。それによりレンズの軽量化が図られている。また、各側面６が光軸Ｏに対して平行である場合には側面での反射光が図示しない観察者の眼球へ導かれ易くなるが、この側面を傾斜させることにより側面での反射光を対物レンズ１の図示しない鏡筒部周辺へ導き、これを吸収させることによりゴーストやフレアを低減させるようにしている。この場合、レンズに反射光を遮光する遮光手段を設ければ更にゴースト、フレアの除去が可能であることは云うまでもない。
【００１０】
図３は第２レンズ群Ｌ２に相当する正レンズの拡大斜視図である。この正レンズＬ２は、正規光束が集まる部分に配置されるためレンズ径は小さくて済む。そのため、射出成形時のゲート部７を残しても光学系全体が大型化することはない。但し、ゲート部７の近辺では面精度が悪くなるため、本実施例ではゲート部７近辺のみに遮光塗料８を塗布して光学性能を向上させるようにしている。
【００１１】
図４は第３レンズ群Ｌ３に相当する正レンズの光軸に沿う拡大断面図、図５は図４の左側面図である。図５に示される通り、この正レンズＬ３は、ダハ反射面２ｂによる光軸Ｏの折り曲げ方向の端部９が直線状に切除されていて、正面図が略Ｄ字形状をなすように成形されている。そして、この端部９側の端面には、そこへ入射する光線を遮光するため遮光手段としての遮光塗料１０が塗布されている。本実施例では、その塗布範囲は、光軸位置Ｐから最も遠いレンズ有効面端縁までの長さをＲ、光軸位置Ｐから最も近いレンズ有効面端縁までの長さをＲ′、光軸位置Ｐから最も近いレンズ有効面端縁から光軸位置Ｐへ向って遮光手段が設けられるべき長さをＤ、レンズの光軸上の厚さをｄとした時、Ｒ＝２．７５mm、Ｒ′＝２．３mm、Ｄ＝０．６８mm、ｄ＝１．７０９３mmで、Ｄ／Ｒ′≒０．２９６、ｄ／Ｒ≒０．６２２となるように選定されている。
【００１２】
図６は上記実施例に係る実像式ファインダーの光軸Ｏに沿う展開図であり、（ａ）は広角端、（ｂ）は中間、（ｃ）は望遠端での状態を示している。以下、本実施例のファインダーに関する各種数値データを示す。
0003833028.tif 000002
【００１３】
0003833028.tif 000003
【００１４】
0003833028.tif 000004
【００１５】
円錐係数及び非球面係数
第２面
Ｋ＝-7.4745
Ａ4 ＝9.4793×10-4            Ａ6 ＝7.8368×10-5
Ａ8 ＝-1.1259 ×10-5          Ａ10＝3.4350×10-7
【００１６】
第３面
Ｋ＝-0.5225
Ａ4 ＝-6.7046 ×10-4          Ａ6 ＝1.1542×10-4
Ａ8 ＝-1.4425 ×10-5          Ａ10＝8.2692×10-7
【００１７】
第６面
Ｋ＝-10.8965
Ａ4 ＝-2.8795 ×10-4          Ａ6 ＝3.1438×10-5
Ａ8 ＝-4.2576 ×10-6          Ａ10＝3.2600×10-7
【００１８】
第７面
Ｋ＝1.3058
Ａ4 ＝-4.6174 ×10-4          Ａ6 ＝-5.4411 ×10-5
Ａ8 ＝9.0328×10-6            Ａ10＝-5.2268 ×10-7
【００１９】
第１２面
Ｋ＝1.0137
Ａ4 ＝-2.1030 ×10-4          Ａ6 ＝3.1374×10-6
Ａ8 ＝-1.6951 ×10-7          Ａ10＝3.0109×10-9
【００２０】
又、図７は本実施例のファインダーにおける収差曲線図であり、（ａ）は広角端，（ｂ）は中間，（ｃ）は望遠端での状態を示す。
なお、各種数値データにおいて、ｒ1 ，ｒ2 ，・・・・はレンズ等各光学素子面の曲率半径、ｄ1 ，ｄ2 ，・・・・は各光学素子の肉厚又はそれらの間隔、ｎｄ1 ，ｎｄ2 ，・・・・は各光学素子の屈折率、νｄ1 ，入ｄ2 ，・・・・は各光学素子のアツベ数を示している。又、前記各非球面形状は、光軸上の光の進行方向をＸ軸、光軸と直交する方向をＹ軸にとり、円錐係数をＫ、非球面係数をＡ4 ，Ａ6 ，Ａ8 ，Ａ10とするとき、以下に示す式により与えられる。
0003833028.tif 000005
【００２１】
本実施例は、上述のように構成されることにより、ファインダー光学系の小型化、薄型化、レンズ端面で発生するフレア、ゴーストの防止、性能の向上を図っている。
即ち、有効光束を通すために必要とする領域を確保すると共に、不要な部分を除去するべくレンズの外形を非回転対称な形状とすることにより、ファインダー光学系全体を小型化できる。しかしながら、光軸からの距離が近い端部では、そこに入射した光束がフレア、ゴーストとなる可能性が高くなるため、その非回転対称のレンズの端面での反射光を遮光する遮光手段を前記レンズに隣接して設けることにより、ファインダー光学系の小型化とゴースト、フレアの低減とを両立させることができる。
【００２２】
また、像正立光学系の最も物体側の反射面における光軸の折り曲げ角を鋭角とすることにより、光軸を一旦物体側に折り曲げるため、その後の反射面の配置により実像式ファインダーの薄型化が達成できる。しかしながら、その際に対物光学系と折り曲げられた光路や周辺の部材とが干渉してしまうと、小型化の妨げとなる。そこで、対物光学系中のレンズのうち最も像正立光学系側のレンズを光軸の折り曲げ方向側の端部が除去された形状とすることにより、対物光学系と折り曲げ光路やその周辺部材との干渉を防ぐことができるので、実像式ファインダー光学系の小型化が達成できる。なお、対物光学系中のレンズのうち最も像正立光学系側のレンズの形状をＤ字形状とすると、除去した部分以外では、光量を十分確保できるのでより好ましい。
【００２３】
なお、上記実施例では、端部の一部が切除されたＤ字形状のレンズの、切除された端部にのみ遮光手段を隣接配置したが、本発明はこれに限定されるものではなく、図８に示されたようにＤ字形状のレンズの全周縁部を遮光するようにしても良いし、図９に示されるように二方向の端部が切除されてその全周縁部を遮光するようにしても良いし、図１０に示されるように三方向の端部が切除されてその全周縁部を遮光するようにしても良いし、図１１に示されるように四方向の端部が切除されてその全周縁部を遮光するようにしても良く、その他種々の構成が可能である。ゲート部を有するレンズについても同様に、Ｄ字形状の開口にしてゲート側より遮光しても良い。また、遮光の仕方も塗装に限らず、レンズの前面から僅かに間隔を空けて設けた絞りを用いるようにしても良い。
【００２４】
また、対物光学系も例えば負正負のレンズ構成であっても良いし、単焦点等であっても良く、種々の構成を採用し得る。
また、像正立光学系も実施例に限定されることなく、例えば、図１２に示されたようにダハプリズム２とペンタプリズム１１の組み合わせ、図１３に示されたように二つの楔状プリズム１２とダハミラー１３の組み合わせ、図１４に示されたようにペンタプリズム１１とダハプリズム２の組み合わせ、図１５に示されたように三角プリズム１４とペンタダハプリズム１５の組み合わせ、図１６に示されたように鈍角反射面１６とＺ字光路をとるダハ反射面を有するプリズム１７との組み合わせ等種々の構成が可能である。
なお、対物光学系１を構成するレンズ群Ｌ１，Ｌ２，Ｌ３は、ズーミングのため光軸上を移動させる場合があるが、このために各レンズには図示しない可動用の突出部を夫々一体成形しても良い。
【００２５】
以上説明したように、本発明による実像式ファインダー光学系は、特許請求の範囲に記載した特徴のほかに下記の如き特徴も有する。
【００２６】
（１）前記対物光学系中の最も像正立光学系側にあるレンズは、光軸の折り曲げ方向側の端部が切除されている請求項３に記載の実像式ファインダー光学系。これにより、最も干渉し易いレンズに対策が施せるので、ファインダーの薄型化に好適である。なお、対物光学系中の最も像正立光学系側のレンズの形状をＤ字形状にすると、除去した部分以外では光量を十分確保できるので、より好ましい。
【００２７】
（２）前記光軸の折り曲げ角度αが４０゜＜α＜６５゜なる条件を満足する請求項２または３または上記（１）に記載の実像式ファインダー光学系。角度αがこの条件式の下限を越えて小さくなると光軸の折り曲げ角度が小さすぎて対物光学系と折り曲げ光路や周辺部材との干渉が起こり易くなる。また、上限を越えて大きくなると像正立光学系が大型化してしまいファインダーの小型化に不利である。
【００２８】
（３）前記遮光手段は前記レンズの面上に配置されている請求項１に記載の実像式ファインダー光学系。それにより遮光手段とレンズ面との間の間隔を零にすることができて全体を薄くすることができ、また、遮光手段の取り付け誤差等の煩わしい製造誤差を考慮する必要がなくなる。レンズの物体側面に遮光塗料を塗布する構成とすると構成が簡単となり好ましい。
【００２９】
（４）前記遮光手段は前記レンズの切除された端部側にのみ設けられている請求項１または３または上記（１）または（３）に記載の実像式ファインダー光学系。それにより、ゴースト、フレアの発生し易い部分では有害光が低減すると共に他の部分では必要な光量を確保することが出来る。
【００３０】
（５）前記遮光手段を前記レンズの全周縁に設け、前記遮光手段による光束の通過するレンズ中央部の開口形状を光軸から最も近いレンズ端部側を実質上直線としてＤ字形状に構成した請求項１または３または上記（１）または（３）に記載の実像式ファインダー光学系。それにより、ゴースト、フレアの発生し易い部分では有害光を低減させると共に他の部分では光量の確保とゴースト、フレアの除去ができる。
【００３１】
（６）前記非回転対称形状のレンズの光軸位置から最も離れたレンズ有効面端部までの長さをＲ、前記レンズの光軸位置から最も近いレンズ有効面端部までの長さをＲ′、前記レンズの光軸位置から最も近いレンズ端部から光軸位置に向って前記遮光手段の設けられる長さをＤ、前記レンズの光軸上の厚さをｄとした時、０．１＜Ｄ／Ｒ′＜０．４及び０．４＜ｄ／Ｒ＜１．０なる条件を満足する請求項１または３または上記（１），（３），（４）または（５）に記載の実像式ファインダー光学系。Ｄ／Ｒ′の値が、上記条件式の下限を越えて小さくなると遮光範囲が小さくなってフレアやゴーストの除去が不十分となり、また上限を越えて大きくなると遮光範囲が大きくなり過ぎて必要とする光束を遮断してしまうか若しくはレンズの径を大きくする必要が生じて十分な小型化が達成できなくなる。また、ｄ／Ｒの値が上記条件式の下限を越えて小さくなると、レンズ径が大きくなるか必要な屈折力が得にくくなり好ましくない。逆にｄ／Ｒの値が上記条件式の上限を越えて大きくなると、ゴーストやフレアが除去しきれなくなるか必要な光量が得られなくなる。
【００３２】
（７）  前記レンズの切除された端部の端面を前記像正立光学系側ほど光軸に近付くように傾斜させた請求項２または上記（１）または（２）に記載の実像式ファインダー光学系。それにより、折り曲げられた光路と対物光学系との干渉を防ぐことができ、より薄型化が図れる。特に、対物光学系中の最も像正立光学系側のレンズの端面を切除する場合に効果的である。
【００３３】
（８）前記対物光学系が物体側から順に負の屈折力を有す第１群と、正の屈折力を有する第２群と、正または負の屈折力を有する第３群とを含み、前記第１群、第２群、第３群の各々の間隔を変化させることにより変倍を行う請求項１乃至３の何れかまたは上記（１）乃至（７）の何れかに記載の実像式ファインダー光学系。それにより、対物レンズ全体をレトロフォーカスタイプに構成することができるので、バックフォーカスが長く且つレンズの配置される部分の長さを短くすることができ、ファインダーの薄型化に有利となる。また、ズームレンズであるため、レンズの移動するスペースが必要でファインダー光学系全体が厚くなり易いが、上記薄型化の利点によりファインダーが厚くなるのを防止し得る。
【００３４】
（９）前記対物光学系中の最も像正立光学系側のレンズが変倍のために移動する上記（８）に記載の実像式ファインダー光学系。それにより、変倍の際の光束の変化が大きくなり、移動するレンズの端部が切除されていれば像正立光学系との干渉を起こさずに移動スペースを確保できるので、高変倍化が可能である。
【００３５】
（10）正の屈折力を有する対物光学系と、該対物光学系により形成された像を正立させる複数の反射部を有する像正立光学系と、該像正立光学系により正立された像を観察者の眼球へ導く接眼光学系とを有し、前記対物光学系中の少なくとも一つのレンズは端部の少なくとも一部が切除された非回転対称な外形のレンズであり、該レンズの切除された端部の端面は光軸に対して傾斜せしめられている実像式ファインダー光学系。それにより、端面が光軸と平行なときに反射光が眼球に導かれる場合、端面を光軸に対し傾斜させることで反射光の方向を変えることができ、ゴーストやフレアを低減させることが出来る。
【００３６】
（11）前記端面を前記対物光学系の中心側ほど光軸に近付くように傾斜させた上記（10）に記載の実像式ファインダー光学系。それにより、像の観察に必要とする光束の光路を遮らずにレンズを軽量化することが出来る。
【００３７】
（12）正の屈折力を有する対物光学系と、該対物光学系により形成された像を正立させる複数の反射面を有する像正立光学系と、正立された像を観察者の眼球へ導く接眼光学系とを有し、前記対物光学系または前記接眼光学系中の少なくとも一つのレンズが作成時に生じるゲート部を端部に有し、前記ゲート部側の端部に入射する入射光を遮光する遮光手段を前記レンズに隣接または空気間隔のみを空けて設けたことを特徴とする実像式ファインダー光学系。レンズをプラスチック等で形成する場合の溶融樹脂入口部分即ちゲート部分のレンズ面は一般に面精度が悪く、従ってその部分を通過した光では良好な像が得られないことがある。そこで、ゲート部側の端部に入射する光を遮光する遮光手段をレンズに隣接または空気間隔のみを空けて設けることにより、ゲート部近辺に入射しようとする光束を遮光し、良好な像に寄与する光束のみレンズを通過させることで良好な像を観察することが可能となる。
【００３８】
（13）前記遮光手段は前記レンズの面上に配設されている上記（12）に記載の実像式ファインダー光学系。それにより、ファインダーの薄型化が達成でき、また、遮光手段の取り付け誤差等の煩わしい製造誤差に対する考慮も不要となる。遮光手段は、レンズの物体側表面に遮光塗料を塗布することにより設けるようにするのが構成上好ましい。
【００３９】
（14）前記遮光手段は前記レンズのゲート部を有する端部側のみに設けられている上記（12）または（13）に記載の実像式ファインダー光学系。それにより、面精度の悪い部分を透過する光を低減させると共に、他の部分では光量を確保することが出来る。
【００４０】
（15）前記遮光手段を前記レンズの全周縁部に設け、前記遮光手段による光束の通過するレンズ中央部の開口形状を、ゲート部を有する端部側を実質上直線としたＤ字形状に構成した上記（12）または（13）に記載の実像式ファインダー光学系。それにより、面精度の悪い部分を透過する光を低減させると共に、他の部分では光量の確保とゴーストやフレアの除去が達成され得る。
【００４１】
（16）ゲート部を有するレンズであって、前記ゲート部側のレンズ端部に遮光手段を設けたことを特徴とするレンズ。
【００４２】
（17）ゲート部を有するレンズであって、遮光手段を前記レンズの全周縁部に設け、光束の通過するレンズ中央部の開口形状を、前記ゲート部を有する端部側を実質上直線としたＤ字形状に構成したことを特徴とするレンズ。
【００４３】
（18）前記遮光手段が前記レンズの面上に配設されている上記（16）または（17）に記載のレンズ。
【００４４】
【発明の効果】
上述の如く、本発明によれば、構成レンズ自体を大きくすることなく、ゴーストやフレアを抑えた見えの良い実像式ファインダー光学系を提供することが出来る。また、薄型化に好適な構成を有する実像式ファインダー光学系を提供することが出来る。また、ゲート部を有するレンズを用いた場合でも見えの良い実像式ファインダー光学系を提供することが出来る。
【図面の簡単な説明】
【図１】本発明に係る実像式ファインダー光学系の一実施例の概略構成を示す断面図である。
【図２】図１に示された実像式ファインダー光学系における対物光学系の第１群レンズの拡大斜視図である。
【図３】図１に示された実像式ファインダー光学系における対物光学系の第２群レンズの拡大斜視図である。
【図４】図１に示された実像式ファインダー光学系における対物光学系の第３群レンズの光軸に沿う拡大断面図である。
【図５】図４の左側面図である。
【図６】図１に示す実像式ファインダー光学系の光軸に沿う展開図で、（ａ）は広角端、（ｂ）は中間、（ｃ）は望遠端での状態を夫々示している。
【図７】図１に示す実像式ファインダー光学系における収差曲線図で、（ａ）は広角端、（ｂ）は中間、（ｃ）は望遠端での状態を夫々示している。
【図８】図４に示された対物光学系の第３群レンズの一変形例を示す図５と同様の側面図である。
【図９】図４に示された対物光学系の第３群レンズの他の変形例を示す図５と同様の側面図である。
【図１０】図４に示された対物光学系の第３群レンズの更に他の変形例を示す図５と同様の側面図である。
【図１１】図４に示された対物光学系の第３群レンズの更に他の変形例を示す図５と同様の側面図である。
【図１２】本発明に係る実像式ファインダー光学系の他の実施例の概略構成を示す断面図である。
【図１３】本発明に係る実像式ファインダー光学系の更に他の実施例の概略構成を示す断面図である。
【図１４】本発明に係る実像式ファインダー光学系の更に他の実施例の概略構成を示す断面図である。
【図１５】本発明に係る実像式ファインダー光学系の更に他の実施例の概略構成を示す断面図である。
【図１６】本発明に係る実像式ファインダー光学系の更に他の実施例の概略構成を示す断面図である。
【符号の説明】
１              対物光学系
２              ダハプリズム
２ａ，４ａ      入射面
２ｂ            ダハ反射面
３              視野枠
４，１７        プリズム
４ｂ，４ｃ，１６    反射面
４ｄ，７        ゲート部
５              接眼光学系
６              レンズ側面
８，１０        遮光塗料
９              レンズ端部
１１            ペンタプリズム
１２            楔上プリズム
１３            ダハミラー
１４            三角プリズム
１５            ペンタダハプリズム
Ｌ1             第１レンズ群
Ｌ2             第２レンズ群
Ｌ3             第３レンズ群
Ｏ              光軸
【図１】
0003833028.tif 000006
【図２】
0003833028.tif 000007
【図３】
0003833028.tif 000008
【図４】
0003833028.tif 000009
【図５】
0003833028.tif 000010
【図６】
0003833028.tif 000011
【図７】
0003833028.tif 000012
【図８】
0003833028.tif 000013
【図９】
0003833028.tif 000014
【図１０】
0003833028.tif 000015
【図１１】
0003833028.tif 000016
【図１２】
0003833028.tif 000017
【図１３】
0003833028.tif 000018
【図１４】
0003833028.tif 000019
【図１５】
0003833028.tif 000020
【図１６】
0003833028.tif 000021